(57)【特許請求の範囲】
【請求項１】
平坦面に位置するように適合された第１側面と、前記第１側面の反対側の第２側面であって、当該第２側面から突出するペグを有する第２側面と、前記ペグのいずれかの側面に配置された取付板を固定するための締結手段を収容するように構成された２つのアパーチャと、を有する取付板であって、前記ペグは、止めねじを収容するために前記ペグを貫通して延びるねじ孔を有し、前記ねじ孔は雌ねじ面を有する、取付板と、
平坦面に位置するように適合された１つの端面を有するブラケットであって、前記ブラケットは、前記取付板上に嵌って前記ペグを収容するように構成され、前記ブラケットは、止めねじを収容するために前記ブラケットを貫通するねじ孔を有する、ブラケットと、
任意選択的に、前記ブラケットの幅以下の長さを有する止めねじと、を備え、
前記ブラケット及び取付板は、前記ブラケットが前記取付板に嵌め込まれると、前記取付板のペグ及びブラケットの前記ねじ孔が位置合わせされて、止めねじを収容するように構成され、
前記取付板及びブラケットは、前記取付板が平坦面に当接しかつブラケットが前記取付板に配置されたとき、前記ブラケットが前記取付板を非可視状態にするように構成される、窓用ローラーシェードを取り付けるための締結装置。
【請求項２】
前記ブラケットが、電動式シェードチューブのアイドラピンを収容するように構成された収容部分を有する、請求項１に記載の締結装置。
【請求項３】
前記ブラケットが、電動式シェードチューブのキーに係合するように構成されたキー部分を有する、請求項１に記載の締結装置。
【請求項４】
前記ブラケットが、当該ブラケットを貫通して延在して２つのシェードチューブのそれぞれの一方の端部を収容するように構成されたチューブ収容ボアを有する、請求項１に記載の締結装置。
【請求項５】
前記チューブ収容ボアがさらにベアリングを備える、請求項４に記載の締結装置。
【請求項６】
前記取付板を平坦面に対して固定するように構成された２つのねじをさらに備える、請求項１に記載の締結装置。
【請求項７】
２つのディスク形状の取付ブラケットであって、各々が、平坦面に位置するように構成された１つの側面と、チューブシェードの端部を保持するように構成された突起を有するもう１つの側面と、を有する、２つのディスク形状の取付ブラケット、を備える、窓用ローラーシェードを取り付けるための締結装置システムであって、
前記取付ブラケットの各々が、前記取付ブラケットを貫通して、前記取付ブラケットを平坦面に固定する締結手段を収容するように構築及び配置された２つの凹状アパーチャを有し、
使用時、各前記取付ブラケットの外周が可視状態であり、前記締結手段は前記取付ブラケットによって非可視状態にされる、締結装置システム。
【請求項８】
前記取付ブラケットの少なくとも一方の前記突起が、チューブシェードクラッチ又はチューブシェードモータに係合するキーとして構成される、請求項７に記載の締結装置システム。
【請求項９】
前記取付ブラケットの少なくとも一方の前記突起が、チューブシェードピン又は電動式チューブシェードアイドラピンを収容するように構成される、請求項７に記載の締結装置。
【請求項１０】
請求項４又は５に記載の締結装置をさらに含むことによって、２つ以上の窓用シェードを取り付けるように適合された、請求項７〜９のいずれか１項に記載の締結装置システム。
【請求項１１】
少なくとも２つの窓用シェードを取り付けるためのシステムであって、前記窓用シェードの一方が電動式であり、請求項２〜４のいずれか１項に記載の締結装置を備える、システム。
【請求項１２】
取付板であって、平坦面に位置するように適合された第１側面と、前記第１側面の反対側の第２側面であって、当該第２側面からの突起を有する第２側面と、前記取付板を平坦面に固定するための締結手段を収容するように構成された２つのアパーチャと、を有する取付板であり、前記突起は、ブラケットに挿入して接続手段を収容するように構成される、取付板と、
平坦面に位置するように適合された１つの端面を有するブラケットであって、前記ブラケットは、前記取付板に嵌りかつ前記取付板からの前記突起を収容するように構成され、前記ブラケットは、さらに、接続手段を収容するためのアパーチャを有する、ブラケットと、を備える、窓用ローラーシェードを取り付けるための締結装置であって、
使用時、接続手段が前記ブラケットを前記取付板に接続し、
前記取付板及びブラケットが、前記取付板が平坦面に当接しかつブラケットが前記取付板上に配置されたとき、前記ブラケットが前記取付板を非可視状態にするように構成される、締結装置。
【請求項１３】
前記ブラケットを前記取付板に接続する接続手段をさらに備える、請求項１２に記載の締結装置。
【請求項１４】
前記取付板の突起が、カム接続手段を収容するように構成されたピンである、請求項１２に記載の締結装置。
【請求項１５】
前記取付板の突起が、ねじ接続手段を収容するように構成される、請求項１２に記載の締結装置。
【請求項１６】
少なくとも１つのブラケットが、シェードチューブにキーで固定するように構成される、請求項１２〜１５のいずれか１項に記載の締結装置。
【請求項１７】
少なくとも１つのブラケットが、シェードチューブからピンを収容するように構成される、請求項１２〜１５のいずれか１項に記載の締結装置。
【請求項１８】
少なくとも１つのブラケットが、２つの対向するチューブシェードのそれぞれの前記一方の端部を収容するように構成される、請求項１２〜１５のいずれか１項に記載の締結装置。
【請求項１９】
少なくとも２つの窓用シェードを取り付けるためのシステムであって、前記窓用シェードの一方が電動式であり、請求項１６〜１８のいずれか１項に記載の締結装置を含む、システム。
【請求項２０】
前記ブラケットが配線用の開口部を含む、請求項１〜６及び請求項１１〜１９のいずれか１項に記載の締結装置。
【請求項２１】
前記開口部が、前記平坦面に位置するように適合された前記ブラケットの前記側面から、前記窓用ローラーシェードに隣接する前記ブラケットの領域まで延在し、前記配線が前記平坦面から前記ブラケットの前記開口部を通って前記窓用ローラーシェードまで通過できるようにし、前記ブラケットが前記配線を非可視状態にする、請求項２０に記載の締結装置。
【請求項２２】
平坦面に位置するように適合された第１側面と、取付ブラケットに係合するように適合された第２側面と、を有する取付板と、
平坦面に位置するように適合された１つの側面と、窓用チューブシェードの端部を保持するように構成された突起を有するもう１つの側面と、を有するディスク形状の取付ブラケットであって、前記取付板に嵌って前記平坦面に前記取付ブラケットを固定するように構成された取付ブラケットと、を備える、窓用ローラーチューブシェードを取り付けるための締結装置であって、
前記窓用チューブシェードの前記端部を保持したとき、前記取付ブラケットの外周が可視状態であり、締結手段が前記取付ブラケットにより非可視状態にされ、
前記取付ブラケットは、チューブシェードピン又は電動式チューブシェードアイドラピンを収容するように構成され、
前記取付ブラケットは配線用の開口部を含む、締結装置。
【請求項２３】
前記開口部が、前記取付ブラケットの側面から、前記窓用チューブシェードに隣接する前記取付ブラケットの領域まで延在し、前記配線が前記平坦面から前記取付ブラケットの前記開口部を通って前記窓用ローラーチューブシェードまで通過できるようにし、前記取付ブラケットが前記配線を非可視状態にする、請求項２２に記載の締結装置。
【発明の詳細な説明】
【技術分野】
【０００１】
本発明は、電動式シェード及びシェードシステムを設置するための、マウント、ブラケット、ブラケットアセンブリ及び取付システムなどの締結装置に関する。
【背景技術】
【０００２】
窓用ローラーシェード及びシェードシステム用の現在のブラケット及びマウントは、一般に嵩張り、目に入る状態にあり、かつシェードシステムの美観を損なうことがある。それゆえ、電動式シェードを含むシェード及びシェードシステムを取り付けるための改良型のアセンブリが必要とされている。
【発明の概要】
【０００３】
本実施形態は、例えば、窓用ローラーシェードを設置するためのマウント、ブラケット及びアセンブリなどの締結装置のシステムを提供する。
【０００４】
一実施形態では、締結装置システムは、シェードチューブの各端部に１つずつの、２つの１部品のディスク形状の取付ブラケットであって、使用時、当該ブラケットの外周が目に見えるように構成された取付ブラケットと、ブラケット内に又はシェードによってその大部分が隠される取付手段と、を備えている。特定の実施形態では、締結システムは、電動式シェードと共に使用するように設計され、１つの取付ブラケットがシェードモータにキーで固定するように構成され、１つの取付ブラケットがアイドラピンを収容するように構成されている。
【０００５】
別の実施形態は、取付板とブラケットとを含む２部品の「非可視マウント」締結装置を提供し、各々、ブラケットを取付板に固定する手段、及び、任意選択的に、固定手段を収容するように構成されている。使用時、ブラケットは、取付板を取り囲んで取付板を見えなくする。一実施形態では、締結装置は、対向するシェードチューブ（すなわち、シェード連結器）の２つの端部を収容するように構成される。別の実施形態では、ブラケットは、「キー」突起を有するように構成される。さらに別の実施形態では、ブラケットは、アイドラピンを収容するように構成される。
【０００６】
さらに別の実施形態は、少なくとも２つのチューブシェードを取り付けるための、取付ブラケットシステム（すなわち、２つのディスク形状の取付ブラケット）と、少なくとも１つの「非可視マウント」の２部品のシェード連結器締結装置と、を備えるシステムを提供する。特定の実施形態では、シェードの少なくとも１つは電動式である。
【０００７】
別の実施形態は、少なくとも２つのチューブシェードを取り付けるための、少なくとも３つの２部品の「非可視マウント」締結装置を備えるシステムを提供する。特定の実施形態では、シェードの少なくとも１つが電動式であり、及びシステムは、モータマウント締結装置、アイドラマウント締結装置、及び少なくとも１つのシェード連結器を含む。
【図面の簡単な説明】
【０００８】
【図１】取付板、ブラケット及び止めねじを含む例示的な締結装置の図を示す。破線は、使用されるねじが取付板を平坦面（例えば、窓額縁又は壁）に固定する方向を示す。
【図２】ブラケットが取付板を覆ってその周りに嵌り、及び止めねじが部分的にブラケットに挿入されている状態の、図１の例示的な実施形態を示す。
【図３】締結装置の外周が見え、取付板が見えず、及び止めねじがブラケットと同一平面にある状態の、図１の設置された実施形態の図を示す。
【図４】ブラケット、取付板及び止めねじの実施形態の実施形態の３つの構成を示し、ブラケットは、さらに、連結器（Coupler）、モータウォールマウント（Motor Wall Mount）、又はウォールマウントアイドラ（Wall Mount Idler）として構成されている。
【図５】取付板がブラケットに摺動してブラケット内に隠される、本発明の代替的な実施形態の図を示す。
【図６】１部品のアイドラマウントのディスク形状の取付ブラケットの様々な図を示す。
【図７】１部品のモータマウントのディスク形状の取付ブラケットの様々な図を示す。
【図８】破線で示すシェードでの使用時の、図６及び図７の取付ブラケットを示す。
【図９】２つのチューブシェードに設置された連結器として構成された締結装置の実施形態の写真である。止めねじはシェードによって見えなくされ、きれいでシンプルなブラケットは見える状態にすることに留意されたい。
【図１０】チューブシェードに設置された１部品のアイドラマウントのディスク形状の取付ブラケットの写真である。
【図１１】本発明のいくつかの実施形態の締結装置と組み立てられた２つのチューブシェードの図である。
【図１２Ａ】実施形態によるアイドラマウントの上面図である。
【図１２Ｂ】実施形態による図１２Ａのアイドラマウントの側面図である。
【図１２Ｃ】実施形態による図１２Ａのアイドラマウントの平面図である。
【図１２Ｄ】別の実施形態による図１２Ａのアイドラマウントの側面図である。
【図１２Ｅ】別の実施形態による図１２Ａのアイドラマウントの平面図である。
【図１３Ａ】実施形態によるモータマウントの上面図である。
【図１３Ｂ】実施形態による図１３Ａのモータマウントの側面図である。
【図１３Ｃ】実施形態による図１３Ａのモータマウントの平面図である。
【図１３Ｄ】別の実施形態による図１３Ａのモータマウントの側面図である。
【図１３Ｅ】別の実施形態による図１３Ａのモータマウントの平面図である。
【図１４Ａ】実施形態によるデュアルアイドラマウントの上面図である。
【図１４Ｂ】実施形態による図１４Ａのデュアルアイドラマウントの側面図である。
【図１４Ｃ】実施形態による図１４Ａのデュアルアイドラマウントの平面図である。
【図１４Ｄ】別の実施形態による図１４Ａのデュアルアイドラマウントの側面図である。
【図１４Ｅ】別の実施形態による図１４Ａのデュアルアイドラマウントの平面図である。
【図１５Ａ】実施形態によるデュアルモータマウント上面図である。
【図１５Ｂ】実施形態による図１５Ａのデュアルモータマウントの側面図である。
【図１５Ｃ】実施形態による図１５Ａのデュアルモータマウントの平面図である。
【図１５Ｄ】別の実施形態による図１５Ａのデュアルモータマウントの側面図である。
【図１５Ｅ】別の実施形態による図１５Ａのデュアルモータマウントの平面図である。
【図１６Ａ】実施形態による締結装置の上面図である。
【図１６Ｂ】実施形態による締結装置の側面図である。
【図１６Ｃ】実施形態による締結装置の平面図である。
【図１７Ａ】実施形態によるデュアルアイドラマウントの上面図である。
【図１７Ｂ】実施形態によるデュアルアイドラマウントの側面図である。
【図１７Ｃ】実施形態によるデュアルアイドラマウントの平面図である。
【図１８Ａ】実施形態によるデュアルモータマウントの上面図である。
【図１８Ｂ】実施形態によるデュアルモータマウントの側面図である。
【図１８Ｃ】実施形態によるデュアルモータマウントの平面図である。
【図１９Ａ】実施形態による締結装置の上面図である。
【図１９Ｂ】実施形態による締結装置の側面図である。
【図１９Ｃ】実施形態による締結装置の平面図である。
【図２０】実施形態による、互いに９０度の角度で位置決めされたブラケットを有する締結装置の斜視図である。
【図２１】実施形態による、開口部が貫通しているブラケットの斜視図である。
【発明を実施するための形態】
【０００９】
本発明は、本明細書で説明される特定の手法、プロトコル及び設計要素の表現などに限定されず、そのようなものとして変更し得る。本明細書で使用される用語は、特定の実施形態を説明するためのものにすぎず、本発明の範囲を限定するものではなく、これは、特許請求の範囲によってのみ規定される。
【００１０】
本明細書及び特許請求の範囲では、文脈において明確に指示がない場合には、単数形は複数形を含み、かつその逆もまた同様である。用語「又は」は、例えば、「いずれか」で修飾されない限り、包括的である。簡潔かつ明瞭にするために、アイテムの特定の量を説明し得る又は図示し得るが、アイテムの実際の量は、異なってもよい。動作例における、又は他に指定される以外で、本明細書で使用される測定値を表す全ての数字は、全ての場合において、用語「約」で修飾され、当業界で受け入れられる範囲を可能にすると理解される必要がある。
【００１１】
特定された全ての特許及び他の文献は、例えば、本発明と併せて使用され得るそのような文献で説明された手法を説明及び開示するために、参照により明示的に本願明細書に組み込まれる。これらの文献は、本出願の出願日以前にそれらの開示のためだけに提供される。この点について、発明人らが、先行発明ゆえに又は任意の他の理由でそのような開示に先行する権利を有しないと認めると解釈されるべきではない。日付に関する全てのステートメント、又はこれらの文献の内容に関する表現は、出願人に入手可能な情報に基づいており、及びこれらの文献の日付又は内容の正しさに関して認めているものではない。
【００１２】
他で規定されない限り、本明細書で使用される全ての専門用語は、本発明が関係する当業者に一般に理解されているものと同じ意味を有する。任意の公知の方法、装置、及び材料を本発明の実施又は検査において使用し得るが、この点について方法、装置、及び材料をここで説明する。
【００１３】
本発明の実施形態は、電動式シェードを含む窓用シェード（ローラーシェード）を取り付けるための改良型の手段を提供し、この手段は、支持構造（例えば窓額縁、壁、柱など）に取り付けられた取付手段（すなわち、「マウント」、「取付板」、又は「取付ブラケット」）の部分が、ブラケット又は取付ブラケットの構造によって見えなくすなわち非可視状態にされる。一部の実施形態では、取付ブラケットは、１部品のディスク形状の装置であり、取付板を固定する手段を収容する凹状アパーチャを有し、かつさらに、シェードモータ又はクラッチに接続するか、若しくは、シェードアイドラピン又はピンを保持するかのいずれかを行うように構成される。ディスク形状は、審美的理由、すなわち、シェードチューブの丸い形状に対して視覚的に調和させるために選択されるが、他の形状の取付板も可能である。
【００１４】
本発明の別の実施形態は、ブラケット、取付板、及び、任意選択的に、接続手段を提供し、それにより、ブラケット及び取付板は、使用時、ブラケットが取付板に嵌り、接続手段によって一緒に固定されて、取付板がブラケットによって隠されるように構成される。任意選択的に、接続手段は、シェードチューブによって隠されるような位置において、ブラケットの本体に位置決めされることができる。本明細書において非限定的な実施形態によってさらに示されるように、ブラケットを取付板に固定する接続手段は、ピン及びカムのアセンブリ、止めねじ、ロッド並びにバネなどを備えてもよい。
【００１５】
本発明の実施形態の締結装置は、製造に適した任意の材料であって、シェード、例えば電動式シェードの重量を支えることができる任意の材料から形成され得る。そのような材料は、金属、金属合金、セラミック、プラスチックなどを含む。締結装置は、従来のプロセスによって製造されることができる。
【００１６】
以下、本発明の実施形態について詳細に説明し、その例を添付の図面に示し、同様の参照符号は、図面を通して同様の要素を指す。図面を参照することにより、本発明を説明するために実施形態を以下説明する。
【００１７】
図１には、所望の壁、窓額縁などに窓用ローラーシェードを固定するための締結装置の例示的な実施形態が示されている。実施形態は、ブラケット（１）、取付板（２）及び止めねじ（３）を含む。取付板（２）は、平坦面に当接するように適合された１つの側面又は端面（４）と、反対側の側面から突出するペグ（６）と、を有する。取付板（２）はまた、２つのアパーチャ（５）を備え、それらアパーチャを通して、破線で示すように締結手段（例えば、ねじ）を挿入して、取付板を平坦面に固定することができる。ペグ（６）はねじ孔（７）を備え、ねじ孔は、ペグ全体を貫通し、かつ止めねじを収容するための雌ねじ面を有する。ブラケット（１）は、取付板（２）が収容されるための開口部（８）を有するように構成され、かつ平坦面（１２）に当接するように構成される。ブラケット（１）はまた、ねじ孔（９）を備え、このねじ孔は、止めねじを収容するためにブラケットの本体全体（すなわち、幅部分）を貫通している。図１に示す特定の実施形態では、ブラケットは、２つの対向するシェードチューブの各々の一方の端部を収容するための開口部（１０）を有し、それらチューブは開口部（１０）内に連結し得る。特定の実施形態はまた、開口部（１０）内にベアリング（１１）を有し、それにより、チューブは自由に回転することができ、摩擦及び摩耗を最小限にする。さらに、ベアリングは、ブラケットがそのように構成される場合、適所に嵌まる任意の適切なサイズの市販のベアリングであってもよい。ベアリングは、例えば金属又はセラミックであってもよい。
【００１８】
使用時、取付板（２）は、図１の破線に示される方向に取付板（２）のアパーチャ（５）を通って挿入されるねじ又は他の適切な締結手段を使用して、平坦面に固定される。この取付板（２）が固定されると、ブラケット（１）は取付板（２）上に挿入されて、平坦面（４、１２）同士が整列し、かつねじ孔（７、９）が整列する。図２に、この状態を示し、また、止めねじ（３）が部分的にブラケット（１）のねじ孔（９）に挿入されていることを示す。ブラケット（１）が所定の位置に配置されると、止めねじ（３）は、ブラケット（１）及びペグ（６）のボアホール（７、９）を通って固定され得る。ブラケットの端面（１２）及び取付板の平坦面（４）が整列して１つの平坦面を生じさせ、これが、相補的な平坦面に、平らに当接することに留意されたい。また、この実施形態では、取付板（２）の外のり寸法は、手袋内の手のようにブラケット（２）の収容部分（８）の内部に収まることに留意されたい。止めねじ（３）の長さはブラケット（１）の幅にほぼ等しく、完全に挿入されると、止めねじ（３）はペグ（６）をブラケット（１）の両側と接合させ、及び止めねじ（３）には突出面がない。さらに、この特定の実施形態では、ねじ孔（９）は、チューブ用の開口部（１０）の近くに配置されて、シェードチューブが締結装置に挿入されると、ねじ孔がシェードによって見えなくなる。この締結装置が平坦面に一旦取り付けられたら、側面から眺めると外周（１３）が見えるようになり、取付板（２）は見えない。図３に、水平の平坦面に取り付けられた実施形態を斜視図で示し、この図は、ブラケット（１）が適所に配置されて止めねじ（３）で固定されたら、取付板（２）がもはや見えないことを実証している。図９も参照されたい。
【００１９】
図４は、締結装置の３つの実施形態を示し、ここでは、ブラケットは、連結器として（図１〜３参照）、又は、電動式シェードチューブのモータ側のマウント（モータウォールマウント）として、又は、モータに対向するチューブの端部のマウント（ウォールマウントアイドラ）としての機能を果たすように構成されている。より具体的には、モータウォールマウントは、「キー部分」又は「キー」（４３０）を含み、この部分は、使用時、モータがトルクを与えることができる構造を提供する。ウォールマウントアイドラは、アイドラピンを収めることができる孔（４３１）を有する。これらの実施形態においてブラケットを取付板に接続する手段は、ブラケット内へと突出するロッド（４６）を含み、ロッドは、止めねじを受け入れる溝（４７）を含む。あるいは、ロッドは、カムとして構成された止めねじを収容するピンとして構成され得る（すなわち、ピン及びカム又は「ノックダウン」アセンブリ）。
【００２０】
図５は、ブラケット（５１）が取付板（５２）上を摺動する代替的な締結装置を示す。より具体的には、取付板（５２）は２つのアパーチャ（５５）を有し、それらアパーチャを通して、取付板（５２）を平坦面に固定するための手段が挿入される。取付板（５２）は、フランジ状部分（５１６）を有するように構成され、このフランジ状部分は、ブラケット（５１）の相補的なベース部（５１７）に適合する。それゆえ、使用時、取付板（５２）が平坦面に固定された後で、ブラケット（５１）は取付板（５２）上へと摺動して、取付板を見えなくする。ブラケット（５１）は、さらに、スロット（５１８）を通して挿入された締結手段によって固定される。
【００２１】
取付板を覆うブラケットを含む締結装置は、美しいマウントを提供し、ブラケットを構造に固定する手段は見えない。さらに、この装置は、垂直又は水平空間に固定できるため、窓用シェードの設置に優れた柔軟性をもたらす。
【００２２】
本発明の別の実施形態は、シェードチューブの各端部の取付ブラケットがマウント・ブラケットアセンブリではなく１個構成である、電動式シェードを固定するための締結装置システムを提供する。より具体的には、図６は、平坦面に位置するように構成された１つの側面（６２１）と、アイドラピン（６２３）を収容するように構成されたボアを有する突起（６２２）を有するもう１つの側面と、を有する、アイドラマウントのディスク形状の取付ブラケット（６２０）を示す図である。アイドラマウント（６２０）は、さらに、２つのアパーチャ（６５５）を含み、これらアパーチャを通して締結手段（例えば、ねじ）が挿入されて、アイドラマウントの平坦面（６２１）を、適切な平坦面の壁、窓額縁などに固定する。アパーチャ（６５５）は、使用時、壁（又は額縁など）にマウントを取り付ける手段が見えなくなるように構成される（すなわち、凹状にされる）。従って、使用時、アイドラマウントの外周（６１３）は見える。図１０及び図１１も参照のこと。
【００２３】
この実施形態の締結装置システムは、さらに、モータマウントのディスク形状の取付ブラケットを含み、このモータマウントのディスク形状の取付ブラケットは、平坦面に位置するように構成された１つの側面と、モータに係合するキーとして構成される突起を有するもう１つの側面と、を有する。図１０を参照のこと。より具体的には、図７は、平坦面（例えば、壁、窓額縁）に位置するように構成された１つの側面（７２１）と、シェードモータがトルクを与えることができるキーを提供する突起（７４０）を有するもう１つの側面と、を有するモータマウントのディスク形状の取付ブラケット（７２０）を示す図である。アパーチャ（７５５）は、使用時、マウントを壁（又は額縁など）に取り付ける手段を見えなくするように構成される（すなわち、凹状にされる）。従って、使用時、モータマウントの外周（７１３）は見える。図１１も参照のこと。このシステムは、取付ブラケットが垂直面に固定される窓額縁において、又はピラー間において、好都合である。
【００２４】
本発明の別の実施形態は、シェードチューブの各端部の取付ブラケットが、マウント・ブラケットアセンブリではなく１部品である、電動式シェードを固定するための別の締結装置システムを提供する。より具体的には、図１２Ａ〜図１２Ｅは、アイドラマウント（１２２０）を示す図である。図１２Ｂ〜図１２Ｃに示す実施形態では、アイドラマウント（１２２０）は、平坦面に位置するように構成された１つの側面（１２２１）と、アイドラピン（１２２３）を収容するように構成されたボアを有する突起（１２２２Ａ）を有するもう１つの側面と、を有する。図１２Ｄ〜図１２Ｅに示す実施形態では、アイドラマウント（１２２０）は、アイドラピン（１２２３）を収容するように構成されたボアを有する突起（１２２２Ａ）及び（１２２２Ｂ）を有する２つの側面を有する。アイドラマウント（１２２０）は、さらに、締結手段（例えば、ねじ）を挿入し得るアパーチャ（１２５５）を含む。一実施形態では、アパーチャ（１２５５）は、締結手段を見えなくするために凹状にされる。
【００２５】
この実施形態の締結装置システムは、さらに、モータマウントを含み得る。より具体的には、図１３Ａ〜図１３Ｅは、モータマウント（１３２０）を示す図である。図１３Ｂ〜図１３Ｃに示す実施形態では、モータマウント（１３２０）は、平坦面に位置するように構成された１つの側面（１３２１）と、モータに係合するキーとして構成された突起（１３２２Ａ）を有するもう１つの側面と、を有する。図１３Ｄ〜図１３Ｅに示す実施形態では、モータマウント（１３２０）は、突起（１３２２Ａ）及び（１３２２Ｂ）を有する２つの側面を有する。突起（１３２２Ａ）及び（１３２２Ｂ）は、シェードモータがトルクを与えることができるキーを提供する。モータマウント（１３２０）は、さらに、締結手段（例えば、ねじ）を挿入し得るアパーチャ（１３５５）を含む。一実施形態では、アパーチャ（１３５５）は、締結手段を見えなくするために凹状にされる。
【００２６】
一実施形態によれば、２つのシェードと共に使用するために、デュアルアイドラマウント、モータマウント及び／又はマウント・ブラケットアセンブリが提供され得る。さらに、３つ以上のシェードが、上記で示しかつ説明したのと同様に構成された単一のアイドラマウント、モータマウント及び／又はマウント・ブラケットアセンブリに取り付けられ得る。図１４Ａ〜図１４Ｅ及び図１７Ａ〜図１７Ｃは、デュアルアイドラマウントを示す図である。図１４Ａ〜図１４Ｅは、垂直構成のアイドラマウント（１４２０）を示す図である一方、図１７Ａ〜図１７Ｃは、水平構成のアイドラマウント（１７２０）を示す図である。図１４Ｂ〜図１４Ｃに示す実施形態では、アイドラマウント（１４２０）は、平坦面に位置するように構成された１つの側面（１４２１）と、アイドラピン（１４２３）を収容するように構成されたボアをそれぞれ有する２つの突起（１４２２Ａ）及び（１４２２Ｂ）を有するもう１つの側面と、を有する。図１４Ｄ〜図１４Ｅ及び図１７Ｂ〜図１７Ｃに示す実施形態では、アイドラマウント（１４２０）は、２つの突起（１４２２Ａ）及び（１４２２Ｂ）をそれぞれ有する２つの側面を有する。突起（１４２２Ａ）及び（１４２２Ｂ）は、それぞれ、アイドラピン（１４２３）を収容するように構成されたボアを有する。アイドラマウント（１４２０）及び（１７２０）は、さらに、締結手段（例えば、ねじ）を挿入し得る１つ以上のアパーチャ（１４５５）を含む。一実施形態では、アパーチャ（１４５５）は、締結手段を見えなくするために凹状にされる。
【００２７】
図１５Ａ〜図１５Ｅ及び図１８Ａ〜図１８Ｃは、デュアルモータマウントを示す図である。図１５Ａ〜図１５Ｅは、垂直構成のモータマウント（１５２０）を示す図である一方、図１８Ａ〜図１８Ｃは、水平構成のモータマウント（１８２０）を示す図である。図１５Ｂ〜図１５Ｃに示す実施形態では、モータマウント（１５２０）は、平坦面に位置するように構成された１つの側面（１５２１）と、モータに係合するキーとして構成された突起（１５４０Ａ）及び（１５４０Ｂ）を有するもう１つの側面と、を有する。図１５Ｄ〜図１５Ｅに示す実施形態では、モータマウント（１５２０）は、突起（１５４０Ａ）及び（１５４０Ｂ）を有する２つの側面を有する。突起（１５４０Ａ）及び（１５４０Ｂ）は、シェードモータがトルクを与えることができるキーを提供する。モータマウント（１５２０）及び（１８２０）は、さらに、締結手段（例えば、ねじ）を挿入し得る１つ以上のアパーチャ（１５５５）を含む。一実施形態では、アパーチャ（１５５５）は、締結手段を見えなくするために凹状にされる。
【００２８】
図１６Ａ〜図１６Ｃ及び図１９Ａ〜図１９Ｃは、窓用シェードを所望の面に固定するデュアルマウント・ブラケットアセンブリを示す図である。図１６Ａ〜図１６Ｃは、垂直構成のマウント・ブラケットアセンブリ（１６２０）を示す図である一方、図１９Ａ〜図１９Ｃは、水平構成のマウント・ブラケットアセンブリ（１９２０）を示す図である。アセンブリ（１６２０）及び（１９２０）は、ブラケット（１６０１）及び（１９０１）のそれぞれと、図１の取付板２と同様にブラケット（１６０１）及び（１９０１）内に取付板（図示せず）と、を含む。ブラケット（１６０１）及び（１９０１）は、取付板を収容する開口部を有するように構成され、かつ、平坦面に当接するように構成される。ブラケット（１６０１）及び（１９０１）は、ブラケットの本体全体（すなわち、幅部分）を貫通する１つ以上のねじ孔（１６０９）を備え、これらねじ孔は、取付板の対応するねじ孔を通して止めねじを収容する。ブラケット（１６０１）及び（１９０１）は、２つの対向するシェードチューブのそれぞれの一方の端部を収容する開口部（１６１０）を有し、それらチューブは、開口部（１６１０）内でインターロックし得る。各開口部（１６１０）はベアリング（１６１１）を有し、それにより、チューブは自由に回転することができ、摩擦及び摩耗を最小限にする。
【００２９】
図２０は、窓用シェードを所望の面に固定するためのさらに別のデュアルマウント・ブラケットアセンブリの斜視図である。この実施形態では、アセンブリ（２０２０）は、ブラケット（２００１Ａ）及び（２００１Ｂ）を含み、これらブラケットは、例えばコーナーに位置決めするために、互いに対して９０度の角度で形成されている。アセンブリ（２０２０）は、さらに、図１の取付板２に関して示しかつ説明したのと同様にブラケット（２００１Ａ）及び（２００１Ｂ）の各々の内部に取付板（図示せず）を含む。ブラケット（２００１Ａ）及び（２００１Ｂ）は、取付板を収容するための開口部を備えて構成され、及び平坦面に当接するように構成される（２０２１）。ブラケット（２００１Ａ）及び（２００１Ｂ）は、それぞれ、ブラケットの本体全体（すなわち、幅部分）を貫通するねじ孔（２００９）を備え、取付板の対応するねじ孔を通して止めねじを収容する。ブラケット（２００１Ａ）及び（２００１Ｂ）は、それぞれ、シェードチューブの一方の端部を収容する開口部（２０１０）を有する。シェードチューブは、開口部（２０１０）内にインターロックし得る。各開口部（２０１０）はベアリング（２０１１）を有し、それにより、チューブは自由に回転することができ、摩擦を最小限にする。
【００３０】
図２１は、実施形態による、貫通している開口部を有するブラケット（２１００）の斜視図である。一部の実施形態では、ブラケット（２１００）は、配線（２１２０）用の開口部（２１１０）を有し、及び開口部（２１１０）は、平坦面（壁など、図示せず）に位置するように適合されたブラケット（２１００）の側面（２１３０）から、窓用ローラーシェード（図示せず）に隣接したブラケットの領域（２１４０）まで延出し、配線（２１２０）が、ブラケット（２１００）の開口部を通って平坦面から、窓用ローラーシェードまで通過できるようにし得る。そのようなものとして、ブラケット（２１００）は配線（２１２０）を見えなくする。一部の実施形態では、配線を使用して、窓用ローラーシェードと一緒に使用するためのモータに電力を供給し得る。配線用のブラケットの開口部は、図２１に示す構成に限定されず、及び窓用シェードを取り付けるための任意のブラケットに提供し得る。
【００３１】
本発明のさらなる実施形態は、１部品のディスク形状のアイドラマウント及びモータマウントと、取付板及びブラケットを含む締結装置と、を備える締結装置システムを提供する。図１１に示すように、このシステムは、２つのシェードチューブを使用するときに有用であり、これらシェードチューブは、２つのシェードの外側端部にモータマウント及びアイドラマウントと、それらの間に連結器として構成された締結装置と、を備え、モータと連通する２つのシェードの接続を維持する。この実施形態は、必要な数の連結器締結装置を使用することにより、いくつものシェードを固定するように適合し得る。
【００３２】
使用時、低電圧配線は、モータ取付ブラケット又はモータブラケット／取付板の締結装置の後ろ側で行われる。電線は、窓額縁（又は適切な構造）を通ってから、電線に隣接して配置されたマウント又はブラケットへとひかれる。電線は、ブラケットの片隅（隠れている）の後ろ側に張り渡され、及びブラケットの後ろ側で接続を行って、配線をブラケットによって覆うようにする。
【００３３】
本実施形態の締結装置及びシステムはまた、非電動式窓用シェードと共に使用するのに好適であり、特定の実施形態が、非電動式シェードチューブの端部において構造を補うために選択される。
【００３４】
ディスク形状の取付ブラケットが窓額縁に設置される場合、ディスクは比較的薄いため、間違えることのできる余地がほとんどない。従って、設置者は、設置を完全なものにするために、模擬用シェードチューブを使用し、その後、チューブの長さに適合するシェードを注文することができる。シェードが届いたら、模擬用チューブをモータから取り除き、モータ及びアイドラをシェードに設置し、及び設置を完了する。
【図１】
0006255391.tif 000002
【図２】
0006255391.tif 000003
【図３】
0006255391.tif 000004
【図４】
0006255391.tif 000005
【図５】
0006255391.tif 000006
【図６】
0006255391.tif 000007
【図７】
0006255391.tif 000008
【図８】
0006255391.tif 000009
【図９】
0006255391.tif 000010
【図１０】
0006255391.tif 000011
【図１１】
0006255391.tif 000012
【図１２Ａ】
0006255391.tif 000013
【図１２Ｂ】
0006255391.tif 000014
【図１２Ｃ】
0006255391.tif 000015
【図１２Ｄ】
0006255391.tif 000016
【図１２Ｅ】
0006255391.tif 000017
【図１３Ａ】
0006255391.tif 000018
【図１３Ｂ】
0006255391.tif 000019
【図１３Ｃ】
0006255391.tif 000020
【図１３Ｄ】
0006255391.tif 000021
【図１３Ｅ】
0006255391.tif 000022
【図１４Ａ】
0006255391.tif 000023
【図１４Ｂ】
0006255391.tif 000024
【図１４Ｃ】
0006255391.tif 000025
【図１４Ｄ】
0006255391.tif 000026
【図１４Ｅ】
0006255391.tif 000027
【図１５Ａ】
0006255391.tif 000028
【図１５Ｂ】
0006255391.tif 000029
【図１５Ｃ】
0006255391.tif 000030
【図１５Ｄ】
0006255391.tif 000031
【図１５Ｅ】
0006255391.tif 000032
【図１６Ａ】
0006255391.tif 000033
【図１６Ｂ】
0006255391.tif 000034
【図１６Ｃ】
0006255391.tif 000035
【図１７Ａ】
0006255391.tif 000036
【図１７Ｂ】
0006255391.tif 000037
【図１７Ｃ】
0006255391.tif 000038
【図１８Ａ】
0006255391.tif 000039
【図１８Ｂ】
0006255391.tif 000040
【図１８Ｃ】
0006255391.tif 000041
【図１９Ａ】
0006255391.tif 000042
【図１９Ｂ】
0006255391.tif 000043
【図１９Ｃ】
0006255391.tif 000044
【図２０】
0006255391.tif 000045
【図２１】
0006255391.tif 000046